【手続補正書】
【提出日】平成28年2月22日(2016.2.22)
【手続補正１】
【補正対象書類名】特許請求の範囲
【補正対象項目名】全文
【補正方法】変更
【補正の内容】
【特許請求の範囲】
【請求項１】
第１のフェーズおよび第２のフェーズにおいて動作するように構成されるサンプルホールド回路であって、
第１のコンデンサと、
第２のコンデンサと、
入力および出力を有する演算増幅器と、
前記第１のコンデンサ、前記第２のコンデンサ、および前記演算増幅器を選択的に結合する複数のスイッチとを備え、
前記複数のスイッチは複数の制御信号を受信するように構成され、それによって、前記第１のフェーズでは、前記第１のコンデンサは該サンプルホールド回路の入力と接地との間に結合されるように構成され、前記第２のコンデンサは前記演算増幅器の前記入力と前記演算増幅器の前記出力との間に結合されるように構成され、前記第２のフェーズでは、前記第１のコンデンサは前記演算増幅器の前記入力と前記演算増幅器の前記出力との間に結合されるように構成され、前記第２のコンデンサは前記演算増幅器の前記出力と接地との間に結合されるように構成され、
前記複数のスイッチのうちの第１のスイッチは、前記第１のコンデンサと前記サンプルホールド回路の前記入力との間に直接的に結合され、
前記複数のスイッチのうちの第２のスイッチは、前記第１のコンデンサと前記演算増幅器の前記出力との間に直接的に結合され、
前記複数のスイッチのうちの第３のスイッチは、前記第１のコンデンサと前記演算増幅器の前記入力との間に直接的に結合され、
前記複数のスイッチのうちの第４のスイッチは、前記第１のコンデンサと接地との間に直接的に結合され、
前記複数のスイッチのうちの第５のスイッチは、前記演算増幅器の前記入力と前記第２のコンデンサとの間に直接的に結合され、
前記複数のスイッチのうちの第６のスイッチは、前記第２のコンデンサと接地との間に直接的に結合される、サンプルホールド回路。
【請求項２】
前記第１のスイッチ、前記第４のスイッチおよび前記第５のスイッチは第１の制御信号を受信するように構成される、請求項１に記載のサンプルホールド回路。
【請求項３】
前記第２のスイッチ、前記第３のスイッチおよび前記第６のスイッチは第２の制御信号を受信するように構成され、
該第２の制御信号は前記第１の制御信号の逆である、請求項２に記載のサンプルホールド回路。
【請求項４】
前記第１のフェーズでは、前記サンプルホールド回路の出力は、先行する第２のフェーズにおける該サンプルホールド回路の該出力に実質的に等しく、前記第２のフェーズでは、前記サンプルホールド回路の前記出力は二分の一クロックサイクルだけ遅延された、前記第１のフェーズの間の前記サンプルホールド回路に対する入力に実質的に等しい、請求項１に記載のサンプルホールド回路。
【請求項５】
前記第１のフェーズでは、前記第１のコンデンサは前記演算増幅器および前記第２のコンデンサから電気的に絶縁される、請求項１に記載のサンプルホールド回路。
【請求項６】
第３のコンデンサと、
第４のコンデンサとをさらに備え、
前記複数のスイッチは、前記第３のコンデンサ、前記第４のコンデンサおよび前記演算
増幅器を選択的に結合するとともに、前記複数の制御信号を受信するように構成され、それによって、前記第１のフェーズでは、前記第３のコンデンサは前記サンプルホールド回路の第２の入力と接地との間に結合されるように構成され、前記第４のコンデンサは前記演算増幅器の第２の入力と前記演算増幅器の第２の出力との間に結合されるように構成され、前記第２のフェーズでは、前記第３のコンデンサは前記演算増幅器の前記第２の入力と前記演算増幅器の前記第２の出力との間に結合されるように構成され、前記第４のコンデンサは前記演算増幅器の前記第２の出力と接地との間に結合されるように構成される、請求項１に記載のサンプルホールド回路。
【請求項７】
前記複数のスイッチのうちの第７のスイッチは前記第３のコンデンサと前記サンプルホールド回路の第２の入力との間に結合され、
前記複数のスイッチのうちの第８のスイッチは前記第３のコンデンサと前記演算増幅器の第２の出力との間に結合され、
前記複数のスイッチのうちの第９のスイッチは前記第３のコンデンサと前記演算増幅器の第２の入力との間に結合され、
前記複数のスイッチのうちの第１０のスイッチは前記第３のコンデンサと接地との間に結合され、
前記複数のスイッチのうちの第１１のスイッチは前記演算増幅器の前記第２の入力と前記第４のコンデンサとの間に結合され、
前記複数のスイッチのうちの第１２のスイッチは前記第４のコンデンサと接地との間に結合される、請求項６に記載のサンプルホールド回路。
【請求項８】
前記第７のスイッチ、前記第１０のスイッチおよび前記第１１のスイッチは第１の制御信号を受信するように構成され、
前記第８のスイッチ、前記第９のスイッチおよび前記第１２のスイッチは第２の制御信号を受信するように構成され、
該第２の制御信号は前記第１の制御信号の逆である、請求項７に記載のサンプルホールド回路。
【請求項９】
前記第１のフェーズでは、前記第３のコンデンサは前記演算増幅器および前記第４のコンデンサから電気的に絶縁される、請求項８に記載のサンプルホールド回路。
【請求項１０】
前記演算増幅器は前記第１のフェーズと前記第２のフェーズとの間でリセットされない、請求項９に記載のサンプルホールド回路。
【請求項１１】
前記サンプルホールド回路は自動車レーダ信号をサンプリングするように構成される、請求項６に記載のサンプルホールド回路。
【請求項１２】
サンプルホールド回路であって、
第１の端部および第２の端部を有する第１のスイッチであって、該第１のスイッチの前記第１の端部は第１の入力電圧を受け取るように構成される、前記第１のスイッチと、
第１の端部および第２の端部を有する第２のスイッチであって、該第２のスイッチの前記第１の端部は前記第１のスイッチの前記第２の端部に直接的に結合される、前記第２のスイッチと、
第１の端部および第２の端部を有する第１のコンデンサであって、該第１のコンデンサの前記第１の端部は前記第１のスイッチの前記第２の端部に直接的に結合される、前記第１のコンデンサと、
第１の端部および第２の端部を有する第３のスイッチであって、該第３のスイッチの前記第１の端部は前記第１のコンデンサの前記第２の端部に直接的に結合される、前記第３のスイッチと、
第１の端部および第２の端部を有する第４のスイッチであって、該第４のスイッチの前記第１の端部は前記第１のコンデンサの前記第２の端部に直接的に結合され、該第４のスイッチの前記第２の端部は接地に直接的に結合される、前記第４のスイッチと、
第１の入力、第２の入力および第１の出力を有する演算増幅器であって、前記第１の入力は前記第３のスイッチの前記第２の端部に直接的に結合され、前記第１の出力は前記第２のスイッチの前記第２の端部に直接的に結合される、前記演算増幅器と、
第１の端部および第２の端部を有する第５のスイッチであって、該第５のスイッチの前記第１の端部は前記第３のスイッチの前記第２の端部に直接的に結合される、前記第５のスイッチと、
第１の端部および第２の端部を有する第２のコンデンサであって、該第２のコンデンサの前記第１の端部は前記演算増幅器の前記第１の出力に直接的に結合され、該第２のコンデンサの前記第２の端部は前記第５のスイッチの前記第２の端部に直接的に結合される、前記第２のコンデンサと、
第１の端部および第２の端部を有する第６のスイッチであって、該第６のスイッチの前記第１の端部は前記第２のコンデンサの前記第２の端部に直接的に結合され、該第６のスイッチの前記第２の端部は前記接地に直接的に結合される、前記第６のスイッチとを備える、サンプルホールド回路。
【請求項１３】
前記演算増幅器の前記第２の入力は接地に結合される、請求項１２に記載のサンプルホールド回路。
【請求項１４】
前記第１のスイッチ、前記第３のスイッチ、および前記第５のスイッチは第１の制御信号を受信するように構成され、
前記第２のスイッチ、前記第４のスイッチ、および前記第６のスイッチは第２の制御信号を受信するように構成される、請求項１３に記載のサンプルホールド回路。
【請求項１５】
第１のフェーズでは、前記第１のスイッチ、前記第３のスイッチおよび前記第５のスイッチは閉じられ、前記第２のスイッチ、前記第４のスイッチおよび前記第６のスイッチは開き、
第２のフェーズでは、前記第１のスイッチ、前記第３のスイッチおよび前記第５のスイッチは開き、前記第２のスイッチ、前記第４のスイッチおよび前記第６のスイッチは閉じられる、請求項１４に記載のサンプルホールド回路。
【請求項１６】
第１の端部および第２の端部を有する第７のスイッチであって、該第７のスイッチの前記第１の端部は第２の入力電圧を受け取るように構成される、前記第７のスイッチと、
第１の端部および第２の端部を有する第８のスイッチであって、該第８のスイッチの前記第１の端部は前記第７のスイッチの前記第２の端部に結合される、前記第８のスイッチと、
第１の端部および第２の端部を有する第３のコンデンサであって、該第３のコンデンサの前記第１の端部は前記第７のスイッチの前記第２の端部に結合される、前記第３のコンデンサと、
第１の端部および第２の端部を有する第９のスイッチであって、該第９のスイッチの前記第１の端部は前記第３のコンデンサの前記第２の端部に結合される、前記第９のスイッチと、
第１の端部および第２の端部を有する第１０のスイッチであって、該第１０のスイッチの前記第１の端部は前記第３のコンデンサの前記第２の端部に結合され、該第１０のスイッチの前記第２の端部は接地に結合される、前記第１０のスイッチと、
第１の端部および第２の端部を有する第１１のスイッチであって、該第１１のスイッチの前記第１の端部は前記第９のスイッチの前記第２の端部に結合される、前記第１１のスイッチと、
第１の端部および第２の端部を有する第４のコンデンサであって、該第４のコンデンサの前記第１の端部は前記演算増幅器の第２の出力に結合され、該第４のコンデンサの前記第２の端部は前記第１１のスイッチの前記第２の端部に結合される、前記第４のコンデンサと、
第１の端部および第２の端部を有する第１２のスイッチであって、該第１２のスイッチの前記第１の端部は前記第４のコンデンサの前記第２の端部に結合され、該第１２のスイッチの前記第２の端部は接地に結合される、前記第１２のスイッチとをさらに備え、
前記演算増幅器の前記第２の入力は前記第９のスイッチの前記第２の端部に結合され、
前記第２の出力は前記第８のスイッチの前記第２の端部に接続される、請求項１５に記載のサンプルホールド回路。
【請求項１７】
前記第７のスイッチ、前記第９のスイッチおよび前記第１１のスイッチは前記第１の制御信号を受信するように構成され、
前記第８のスイッチ、前記第１０のスイッチおよび前記第１２のスイッチは前記第２の制御信号を受信するように構成される、請求項１６に記載のサンプルホールド回路。
【請求項１８】
前記第１のフェーズでは、前記第７のスイッチ、前記第９のスイッチおよび前記第１１のスイッチは閉じられ、前記第８のスイッチ、前記第１０のスイッチおよび前記第１２のスイッチは開き、
前記第２のフェーズでは、前記第７のスイッチ、前記第９のスイッチおよび前記第１１のスイッチは開き、前記第８のスイッチ、前記第１０のスイッチおよび前記第１２のスイッチは閉じられる、請求項１７に記載のサンプルホールド回路。
【請求項１９】
前記演算増幅器は前記第１のフェーズと前記第２のフェーズとの間でリセットされない、請求項１５に記載のサンプルホールド回路。